(57)【要約】【課題】容易に組み立てられる組立式段構成体、組立式階段および組立式段ベンチを提供する。【解決手段】上部が順次上方に突出するように配列される複数の段箱と、複数の段箱の上部に取り付けられて斜め上方に向かって配列する複数の板部材２と、斜め上方に向かって延びるように形成されて複数の段箱を支持する桁とを備え、桁は、複数の段箱に対応して複数の分割桁に互いに連結可能に分割されると共に複数の分割桁がそれぞれ対応する複数の段箱に固定され、複数の分割桁を互いに連結することにより組み立てられる。【選択図】図１
2016204942.tif 000002
【特許請求の範囲】
【請求項１】
上部が順次上方に突出するように配列される複数の段箱と、
前記複数の段箱の上部に取り付けられて斜め上方に向かって配列する複数の板部材と、
斜め上方に向かって延びるように形成されて前記複数の段箱を支持する桁と
を備え、
前記桁は、前記複数の段箱に対応して複数の分割桁に互いに連結可能に分割されると共に前記複数の分割桁がそれぞれ対応する前記複数の段箱に固定され、前記複数の分割桁を互いに連結することにより組み立てられる組立式段構成体。
【請求項２】
前記複数の分割桁は、対応する前記複数の段箱の内部を貫通して延びるように配置される請求項１に記載の組立式段構成体。
【請求項３】
前記複数の分割桁は、それぞれ、上端部に配置されたトッププレートと、下端部に配置されたベースプレートとを有し、前記トッププレートと前記ベースプレートとを直接当接した状態で前記複数の分割桁が連結される請求項１または２に記載の組立式段構成体。
【請求項４】
前記桁は、床部から側壁部に向かって延びるように配置され、下端部に配置された前記分割桁が前記床部に固定されると共に上端部に配置された前記分割桁が前記側壁部に固定される請求項１〜３のいずれか一項に記載の組立式段構成体。
【請求項５】
前記複数の段箱は斜め上方に向かって直線状に配列される複数の直線用段箱を有すると共に、前記複数の分割桁は斜め上方に向かって直線状に延びる複数の直線用分割桁を有し、前記複数の直線用段箱が同一形状となるように形成されると共に前記複数の直線用分割桁が同一形状となるように形成される請求項４に記載の組立式段構成体。
【請求項６】
前記複数の段箱は側方に順次向きを変更して配列される複数の方向変更用段箱を有すると共に、前記複数の分割桁は側方に順次向きを変更して延びる複数の方向変更用分割桁を有し、前記複数の方向変更用段箱が同一形状となるように形成されると共に前記複数の方向変更用分割桁が同一形状となるように形成される請求項４または５に記載の組立式段構成体。
【請求項７】
請求項１〜６のいずれか一項に記載の組立式段構成体を有する組立式階段。
【請求項８】
請求項１〜６のいずれか一項に記載の組立式段構成体を有する組立式段ベンチ。
【発明の詳細な説明】
【技術分野】
【０００１】
この発明は、組立式段構成体、組立式階段および組立式段ベンチに係り、特に、複数の板部材が斜め上方に向かって配列するように組み立てられる組立式段構成体、組立式階段および組立式段ベンチに関する。
【背景技術】
【０００２】
従来から、建築分野において、複数の板部材が斜め上方に向かって配列された階段および段ベンチなどの段構成体が利用されている。この段構成体は、設置に大きな労力を要するもので、特に、階段を設置する際には段差にばらつきが生じないように熟練した技能も必要となる。このため、段構成体の設置に要する労力を低減することが求められている。
【０００３】
そこで、段構成体を設置する労力を低減する技術として、例えば、特許文献１には、複数の組立ブロックの上段連結部と下段連結部とを連結して傾斜方向に沿うブロック列を左右一対形成し、左右方向に対応する組立ブロックの踏板支持部間に踏板を掛渡して固定した階段装置が提案されている。この階段装置は、複数の組立ブロック、傾斜桁および踏板などの部材を組み立てることで設置されるため、少ない労力で短時間のうちに設置することができる。
【先行技術文献】
【特許文献】
【０００４】
【特許文献１】特開２００７−１００４９６号公報
【発明の概要】
【発明が解決しようとする課題】
【０００５】
しかしながら、特許文献１の階段装置は、複数の組立ブロック、傾斜桁および踏板などの部材が一体にまとまって構成されておらず、それぞれの部材を現場で最初から組み立てる必要があり、容易に組み立てることができないといった問題があった。
【０００６】
この発明は、このような従来の問題点を解消するためになされたもので、容易に組み立てられる組立式段構成体、組立式階段および組立式段ベンチを提供することを目的とする。
【課題を解決するための手段】
【０００７】
この発明に係る組立式段構成体は、上部が順次上方に突出するように配列される複数の段箱と、複数の段箱の上部に取り付けられて斜め上方に向かって配列する複数の板部材と、斜め上方に向かって延びるように形成されて複数の段箱を支持する桁とを備え、桁は、複数の段箱に対応して複数の分割桁に互いに連結可能に分割されると共に複数の分割桁がそれぞれ対応する複数の段箱に固定され、複数の分割桁を互いに連結することにより組み立てられるものである。
【０００８】
ここで、複数の分割桁は、対応する複数の段箱の内部を貫通して延びるように配置されることが好ましい。
【０００９】
また、複数の分割桁は、それぞれ、上端部に配置されたトッププレートと、下端部に配置されたベースプレートとを有し、トッププレートとベースプレートとを直接当接した状態で複数の分割桁が連結されることが好ましい。
【００１０】
また、桁は、床部から側壁部に向かって延びるように配置され、下端部に配置された分割桁が床部に固定されると共に上端部に配置された分割桁が側壁部に固定することができる。
【００１１】
また、複数の段箱は斜め上方に向かって直線状に配列される複数の直線用段箱を有すると共に、複数の分割桁は斜め上方に向かって直線状に延びる複数の直線用分割桁を有し、複数の直線用段箱が同一形状となるように形成されると共に複数の直線用分割桁が同一形状となるように形成することができる。
また、複数の段箱は側方に順次向きを変更して配列される複数の方向変更用段箱を有すると共に、複数の分割桁は側方に順次向きを変更して延びる複数の方向変更用分割桁を有し、複数の方向変更用段箱が同一形状となるように形成されると共に複数の方向変更用分割桁が同一形状となるように形成することもできる。
【００１２】
この発明に係る組立式階段は、上記のいずれかに記載の組立式段構成体を有するものである。
【００１３】
この発明に係る組立式段ベンチは、上記のいずれかに記載の組立式段構成体を有するものである。
【発明の効果】
【００１４】
この発明によれば、桁が複数の段箱に対応して複数の分割桁に互いに連結可能に分割されると共に複数の分割桁がそれぞれ対応する複数の段箱に固定されて複数の分割桁を互いに連結することにより組み立てられるので、容易に組み立てられる組立式段構成体、組立式階段および組立式段ベンチを提供することが可能となる。
【図面の簡単な説明】
【００１５】
【図１】この発明の実施の形態１に係る組立式階段の構成を示す斜視図である。
【図２】連接段箱の構成を示す斜視図である。
【図３】接地段箱の構成を示す斜視図である。
【図４】連接段箱内に配置された直線用分割桁を示す斜視図である。
【図５】接地段箱内に配置された直線用分割桁を示す斜視図である。
【図６】この発明の実施の形態２に係る組立式階段の構成を示す斜視図である。
【図７】連接段箱と方向変更用分割桁を示す斜視図である。
【図８】この発明の実施の形態３に係る組立式階段の構成を示す斜視図である。
【図９】実施の形態３の変形例に係る組立式階段を示す斜視図である。
【図１０】この発明の実施の形態４に係る組立式段ベンチの構成を示す斜視図である。
【図１１】４つの方向変更用段箱を配列して向きを変更する組立式階段の構成を示す斜視図である。
【図１２】２つの方向変更用段箱を配列して向きを変更する組立式階段を示し、図１２（Ａ）は斜視図、図１２（Ｂ）は図１２（Ａ）のＡ−Ａ線断面図である。
【図１３】２つの方向変更用段箱を配列して向きを変更する組立式階段の変形例を示す斜視図である。
【図１４】２つの方向変更用段箱を配列して向きを変更する組立式階段の他の変形例を示し、図１４（Ａ）は斜視図、図１４（Ｂ）は図１４（Ａ）のＡ−Ａ線断面図である。
【図１５】板部材を接地段箱に開閉可能に取り付けた組立式階段の構成を示す図である。
【発明を実施するための形態】
【００１６】
以下、この発明の実施の形態を添付図面に基づいて説明する。
実施の形態１
図１に、この発明の実施の形態１に係る組立式階段の構成を示す。この組立式階段は、上部が順次上方に突出するように下階Ｆａから上階Ｆｂに向かって斜め上方に直線状に配列される複数の直線用段箱１と、複数の直線用段箱１の上部にそれぞれ対応して取り付けられる複数の板部材２と、下階Ｆａから上階Ｆｂに向かって斜め上方に直線状に延びるように形成された一対の直線用桁３とを有する。
【００１７】
複数の直線用段箱１は、それぞれ箱形状を有し、最も下側に配置される１つの接地段箱４と、接地段箱４より上側に配列される複数の連接段箱５とを有する。
接地段箱４は、下階Ｆａの床部に当接する底板部６ａと、直線用段箱１の配列方向に対向して配置された前板部６ｂおよび後板部６ｃと、直線用段箱１の横幅方向に対向して配置された一対の側板部６ｄおよび６ｅとを有する。前板部６ｂ、後板部６ｃ、側板部６ｄおよび側板部６ｅは、下縁部が底板部６ａにそれぞれ接合されると共に上縁部がほぼ同一の水平面内に位置するように形成されている。
【００１８】
連接段箱５は、下階Ｆａの床部に対向する底板部７ａと、直線用段箱１の配列方向に対向して配置された前板部７ｂおよび後板部７ｃと、直線用段箱１の横幅方向に対向して配置された一対の側板部７ｄおよび７ｅとを有する。前板部７ｂ、後板部７ｃ、側板部７ｄおよび側板部７ｅは、上縁部がほぼ同一の水平面内に位置するように形成されている。また、前板部７ｂの下縁部は後板部７ｃの下縁部より下方まで延びるように形成され、この前板部７ｂと後板部７ｃの下縁部を接続するように側板部７ｄと側板部７ｅの下縁部が傾斜して延びている。そして、底板部７ａが、前板部７ｂ、後板部７ｃ、側板部７ｄおよび側板部７ｅの下縁部に接合されている。このようにして、複数の連接段箱５は、互いに同一形状を有するように形成されている。
【００１９】
また、連接段箱５は、前板部７ｂの下半部と後板部７ｃとが当接するように配列されている。同様に、接地段箱４は、後板部６ｃが連接段箱５の前板部７ｂの下半部に当接するように配置されている。
直線用段箱１は、例えば、鉄およびアルミなどの金属、木材、石材、コンクリート、ガラスおよびプラスチックなどで構成することができる。
【００２０】
複数の板部材２は、平板形状を有し、下階Ｆａから上階Ｆｂに向かって斜め上方に直線状に配列するように接地段箱４および連接段箱５の上縁部にそれぞれ対応して固定されている。複数の板部材２は、縁部が接地段箱４および連接段箱５の側方および前方に突出するように、接地段箱４および連接段箱５の外周より大きく形成されている。
板部材２としては、例えば、木材、金属、石材、タイル、コンクリート、ガラスおよびプラスチックなどで構成することができる。
【００２１】
一対の直線用桁３は、直線用段箱１を支持するもので、直線用段箱１の内部において横幅方向に間隔を空けた２箇所にそれぞれ配置されており、板部材２の配列方向に沿って互いに平行に延びるように形成されている。ここで、直線用桁３は、複数の直線用段箱１に対応して複数の直線用分割桁８に互いに連結可能に分割されている。
直線用分割桁８は、対応する直線用段箱１の内部を貫通して延びるように形成されている。例えば、連接段箱５に対応する直線用分割桁８は、前板部７ｂの下半部から後板部７ｃを貫通して延びるように形成されている。ここで、連接段箱５に対応する直線用分割桁８は、所定の角度で延びて連接段箱５毎に同一形状となるように形成されている。一方、接地段箱４に対応する直線用分割桁８は、底板部６ａから後板部６ｃを貫通して延びるように形成されている。
【００２２】
また、複数の直線用分割桁８は、それぞれ、直線用桁３が延びる方向を遮るように上端部に配置されたトッププレート９と、直線用桁３が延びる方向を遮るように下端部に配置されたベースプレート１０とを有する。連接段箱５に対応する直線用分割桁８のトッププレート９とベースプレート１０は、互いに平行で且つ連接段箱５の後板部７ｃと前板部７ｂにそれぞれ沿うように配置されている。また、接地段箱４に対応する直線用分割桁８のトッププレート９とベースプレート１０は、接地段箱４の後板部６ｃと底板部６ａに沿うように配置されている。直線用分割桁８は、トッププレート９とベースプレート１０を直接当接させた状態でボルトなどを用いて固定することで互いに連結されている。
なお、直線用桁３は、下端部に配置された直線用分割桁８のベースプレート１０、すなわち接地段箱４に対応して配置された直線用分割桁８のベースプレート１０で下階Ｆａの床部に固定され、上端部に配置された直線用分割桁８のトッププレート９で下階Ｆａと上階Ｆｂを接続する側壁部に固定されている。
【００２３】
さらに、直線用分割桁８は、対応する複数の直線用段箱１に固定部１１ａ，１１ｂおよび１１ｃにより固定されている。
固定部１１ａは、連接段箱５内に配置されて前板部７ｂに沿って延びる形状を有し、連接段箱５の横幅方向に間隔を空けて配置された一対の直線用分割桁８を前板部７ｂに固定する。固定部１１ｂは、連接段箱５内および接地段箱４内に配置されている。固定部１１ｂは、連接段箱５の後板部７ｃと接地段箱４の後板部６ｃに沿って延びる形状を有し、連接段箱５および接地段箱４において横幅方向に間隔を空けて配置された一対の直線用分割桁８を後板部７ｃおよび後板部６ｃに固定する。固定部１１ｃは、連接段箱５内および接地段箱４内に配置されて底板部７ａと底板部６ａにそれぞれ沿って延びる形状を有し、直線用分割桁８を底板部７ａおよび底板部６ａに固定する。
【００２４】
次に、組立式階段を製造する方法について説明する。
まず、図２に示すように、連接段箱５の前板部７ｂの下半部に直線用分割桁８のベースプレート１０に対応する開口部１２ａを形成すると共に後板部７ｃに直線用分割桁８のトッププレート９に対応する開口部１２ｂを形成する。また、図３に示すように、接地段箱４の後板部６ｃから底板部６ａにわたって直線用分割桁８のトッププレート９およびベースプレート１０に対応する切欠き部１３を形成する。
【００２５】
続いて、図４に示すように、連接段箱５内に直線用分割桁８を配置すると共に開口部１２ａと開口部１２ｂにそれぞれベースプレート１０とトッププレート９がはめ込まれる。これにより、直線用分割桁８が連接段箱５内を貫通するように延びると共に前板部７ｂと後板部７ｃからベースプレート１０とトッププレート９をそれぞれ外側に露出させることができる。なお、ベースプレート１０とトッププレート９にはボルトなどの固定具を挿入するための貫通孔１４が形成され、連接段箱５の外側に露出するベースプレート１０とトッププレート９の露出面には位置合わせのために互いに嵌合する一対の嵌合部１５が形成されている。
連接段箱５内に配置された直線用分割桁８は、固定部１１ａ，１１ｂおよび１１ｃにより連接段箱５に固定される。
【００２６】
また、図５に示すように、接地段箱４内に直線用分割桁８を配置すると共に切欠き部１３にベースプレート１０とトッププレート９がはめ込まれる。これにより、直線用分割桁８が接地段箱４内を貫通するように延びると共に底板部６ａと後板部６ｃからベースプレート１０とトッププレート９をそれぞれ外側に露出させることができる。なお、連接段箱５内に配置された直線用分割桁８と同様に、ベースプレート１０とトッププレート９にはボルトなどの固定具を挿入するための貫通孔１４が形成されると共に、トッププレート９の露出面には位置合わせのための嵌合部が形成されている。
接地段箱４内に配置された直線用分割桁８は、固定部１１ｂおよび１１ｃにより接地段箱４に固定される。
【００２７】
このように、直線用段箱１に直線用分割桁８を対応して固定することにより、組立式階段を直線用段箱１毎にまとめてブロック状に構成することができる。このため、例えば工場において組立式階段を直線用段箱１毎に製造し、その組立式階段を直線用段箱１毎に建築現場に搬入することができる。
【００２８】
建築現場では、直線用段箱１毎に搬入された組立式階段の組み立て作業が行われる。すなわち、図１に示すように、下階Ｆａの床部に接地段箱４の直線用分割桁８をボルトなどの固定具を用いて固定し、この接地段箱４から上階Ｆｂに向かって複数の連接段箱５が直線用分割桁８を介して固定具により順次連結される。そして、連接段箱５が下階Ｆａと上階Ｆｂを接続する側壁部に接するまで連結されたところで、その連接段箱５の直線用分割桁８が側壁部に固定される。
このように、組立式階段を直線用段箱１毎にまとめて構成することにより、建築現場では直線用分割桁８を互いに連結するだけで組立式階段を組み立てることができ、組み立て作業を簡単化することができる。
【００２９】
また、連接段箱５毎にまとめられた構成体は、連接段箱５と直線用分割桁８が同一形状で形成されているため、互いに同一形状を有している。このため、組立式階段の製造を簡単化すると共に組立式階段の組み立て作業をスムーズに行うことができる。
また、直線用分割桁８のベースプレート１０およびトッププレート９には一対の嵌合部１５が形成されているため、この嵌合部１５を互いに嵌合させることにより直線用分割桁８を位置合わせすることができ、直線用分割桁８を容易に連結することができる。
【００３０】
このようにして、直線用分割桁８が互いに連結されることにより、下階Ｆａから上階Ｆｂに向かって直線状に延びる直線用桁３が形成される。直線用桁３は、所定の角度で直線状に延びるように形成されるため、直線用段箱１を強力に支持することができる。また、直線用桁３は、ベースプレート１０とトッププレート９を互いに当接して連結することで節状に補強された補強部が形成されており、例えば捩じれなどの負荷に対する耐性を向上させることができる。
【００３１】
また、直線用桁３は、直線用段箱１の内部を貫通して延びるように配置されている。一般的に、階段の桁は段箱の外側に配置されるが、直線用桁３を直線用段箱１の内部に配置することにより、組立式階段の段高幅Ｈを薄く形成することができる。また、直線用桁３を直線用段箱１の内部に配置することにより、直線用桁３が外部から隠されて組立式階段の外観を向上させることができる。
このように、組立式階段の段高幅Ｈを薄くすることで組立式階段の下側に広い空間が確保されると共に組立式階段の裏面の外観が向上されることで組立式階段の裏側を隠す必要がないため、組立式階段の下側を有効に活用することができる。
【００３２】
続いて、直線用段箱１の上部に板部材２が取り付けられる。この時、板部材２は、直線用段箱１の外周より大きく形成されているため、直線用桁３および直線用段箱１のサイズを変えることなく、建築現場において板部材２の横幅などを容易に調整することができ、所望の横幅に調整された板部材２を直線用段箱１に取り付けることができる。また、直線用桁３は直線用段箱１を貫通するように延びるため、製造時において直線用段箱１の横幅などを変更する場合には、直線用桁３のサイズを変えることなく、直線用段箱１の横幅を容易に調整することもできる。
なお、配列された複数の直線用段箱１間の切れ目を隠したい場合には、外側から外装シートなどで覆うことが好ましい。
【００３３】
本実施の形態によれば、直線用桁３が複数の直線用段箱１に対応して複数の直線用分割桁８に分割されると共に複数の直線用分割桁８がそれぞれ対応する複数の直線用段箱１に固定されているので、複数の直線用分割桁８を連結すると同時に複数の直線用段箱１を階段状に配列することができ、組立式階段を容易に組み立てることができる。
【００３４】
実施の形態２
図６に、実施の形態２に係る組立式階段の構成を示す。この組立式階段は、上部が順次上方に突出するように下階Ｆａから上階Ｆｂに向かって順次側方に向きを変更してらせん状に配列される複数の方向変更用段箱２１と、複数の方向変更用段箱２１の上部にそれぞれ対応して取り付けられて下階Ｆａから上階Ｆｂに向かって斜め上方に順次側方に向きを変更してらせん状に配列される複数の板部材２２と、下階Ｆａから上階Ｆｂに向かって斜め上方に順次側方に向きを変更して延びるように形成された一対の方向変更用桁２３とを有する。
【００３５】
複数の方向変更用段箱２１は、それぞれ箱形状を有し、最も下側に配置される１つの接地段箱２４と、接地段箱２４より上側に配列される複数の連接段箱２５とを有する。
接地段箱２４は、実施の形態１と同様に、下階Ｆａの床部に当接する底板部と、方向変更用段箱２１の配列方向に対向して配置された前板部および後板部と、方向変更用段箱２１の横幅方向に対向して配置された一対の側板部とを有する。
【００３６】
連接段箱２５は、図７に示すように、底板部２６ａと、方向変更用段箱２１の配列方向に対向して配置された前板部２６ｂおよび後板部２６ｃと、方向変更用段箱２１の横幅方向に対向して配置された一対の側板部２６ｄおよび２６ｅとを有する。側板部２６ｄと側板部２６ｅは、連接段箱２５が配列される曲率に応じて、内側の側板部２６ｅに対して外側の側板部２６ｄが広く形成されている。このため、前板部２６ｂと後板部２６ｃは、側板部２６ｅから側板部２６ｄに向かって間隔が広がるように配置されている。このように、複数の連接段箱２５は、配列される曲率に応じて等間隔で分割するように形成されており互いに同一形状を有するものである。
【００３７】
一対の方向変更用桁２３は、方向変更用段箱２１の内部において横幅方向に間隔を空けた２箇所にそれぞれ配置されており、板部材２２の配列方向に沿って互いに平行に延びるように形成されている。この方向変更用桁２３は、複数の方向変更用段箱２１に対応して複数の方向変更用分割桁２７に互いに連結可能に分割されている。
方向変更用分割桁２７は、対応する方向変更用段箱２１の内部を直線状に貫通して延びるように形成されている。例えば、連接段箱２５に対応する方向変更用分割桁２７は、前板部２６ｂの下半部から後板部２６ｃを貫通して延びるように形成されている。ここで、連接段箱２５に対応する方向変更用分割桁２７は、所定の角度で上方に直線状に延びて連接段箱２５毎に同一形状となるように形成されている。一方、接地段箱２４に対応する方向変更用分割桁２７は、底板部から後板部を貫通して直線状に延びるように形成されている。これにより、方向変更用桁２３は、方向変更用段箱２１毎に側方に屈折してらせん状に延びるように形成されている。
【００３８】
また、方向変更用分割桁２７は、実施の形態１と同様に、上端部にトッププレート９が配置されると共に下端部にベースプレート１０が配置されており、トッププレート９とベースプレート１０を直接当接させた状態で互いに連結されている。
また、複数の方向変更用分割桁２７は、それぞれ対応する複数の方向変更用段箱２１に固定部１１ａおよび１１ｂにより固定されている。
【００３９】
この組立式階段は、実施の形態１と同様にして製造することができる。
まず、図７に示すように、方向変更用分割桁２７が連接段箱２５内を前板部２６ｂから後板部２６ｃに傾斜して直線状に延びるように配置されて、ベースプレート１０が前板部２６ｂから露出されると共にトッププレート９が後板部２６ｃから露出される。そして、方向変更用分割桁２７が、固定部１１ａおよび１１ｂにより連接段箱２５に固定される。
同様にして、接地段箱２４内にも方向変更用分割桁２７が配置される。接地段箱２４に配置された方向変更用分割桁２７は、接地段箱２４の底板部から後板部に延びるように配置される。
【００４０】
このように、組立式階段を方向変更用段箱２１毎にまとめて製造することにより、方向変更用段箱２１毎に組立式階段を建築現場に搬入して組み立てることができる。また、組み立て式階段を方向変更用段箱２１毎にまとめて構成することにより、建築現場では方向変更用分割桁２７を互いに連結するだけで容易に組み立てることができる。さらに、連接段箱２５毎にまとめられた構成体は互いに同一形状を有するため、組立式階段の製造を簡単化すると共に組立式階段の組み立て作業をスムーズに行うことができる。
【００４１】
このようにして、方向変更用分割桁２７が互いに連結されることにより、下階Ｆａから上階Ｆｂに向かってらせん状に延びる方向変更用桁２３が形成される。
ここで、方向変更用分割桁２７は直線状に形成されており、この方向変更用分割桁２７をらせん状に連結して方向変更用桁２３が形成されている。一般的に、らせん状の階段には、らせん状に徐々に湾曲するように形成された桁が使用されており、その形状に形成するために多くの労力を要していた。そこで、方向変更用分割桁２７を方向変更用段箱２１内に配置することにより直線状に形成することができ、方向変更用桁２３を容易に形成することができる。
また、方向変更用桁２３は、所定の角度でらせん状に延びるように形成されるため、方向変更用段箱２１を強力に支持することができる。また、方向変更用桁２３は、ベースプレート１０とトッププレート９を互いに当接して連結することで節状に補強された補強部が形成されており、例えば捩じれなどの負荷に対する耐性を向上させることができる。
【００４２】
続いて、方向変更用段箱２１の上部に板部材２２を取り付けることにより、図６に示すように組立式階段が組み立てられる。なお、らせん状に形成される組立式階段の回り方向は、右回りおよび左回りのどちらに設定してもよい。
本実施の形態によれば、方向変更用桁２３が複数の方向変更用段箱２１に対応して複数の方向変更用分割桁２７に分割されると共に複数の方向変更用分割桁２７がそれぞれ対応する複数の方向変更用段箱２１に固定されているので、複数の方向変更用分割桁２７を連結すると同時に複数の方向変更用段箱２１をらせん階段状に配列することができ、組立式階段を容易に組み立てることができる。
【００４３】
実施の形態３
実施の形態１では一様に直線状に延びる組立式階段が形成され、実施の形態２では一様な曲率で方向変更してらせん状に延びる組立式階段が形成されたが、上部が順次上方に突出するように配列された複数の段箱と、複数の段箱の上部に取り付けられて斜め上方に向かって配列する複数の板部材と、複数の板部材の配列方向に延びるように形成された一対の桁とを有すればよく、直線部と方向変更部を互いに組み合わせて組立式階段を形成することもできる。
例えば、組立式階段は、図８に示すように、上部が順次上方に突出するように配列された複数の段箱３１と、複数の段箱３１の上部に取り付けられた複数の板部材３２と、複数の板部材３２の配列方向に延びる一対の桁３３とから形成することができる。
【００４４】
複数の段箱３１は、中間部に配列された複数の方向変更用段箱３４を有し、この方向変更用段箱３４の上側と下側にそれぞれ複数の直線用段箱３５が配列されている。方向変更用段箱３４の上側に配列された直線用段箱３５と、方向変更用段箱３４の下側に配列された直線用段箱３５は、１８０度向きが異なるように配置されている。
桁３３は、複数の段箱３１に対応して複数の方向変更用分割桁３６と複数の直線用分割桁３７とにそれぞれ分割されており、方向変更用分割桁３６が方向変更用段箱３４内に対応して配置されると共に直線用分割桁３７が直線用段箱３５内に対応して配置されている。
このように、組立式階段が段箱３１毎にまとめて構成されることにより、複数の方向変更用分割桁３６および複数の直線用分割桁３７を連結すると同時に複数の段箱３１を折り返し階段状に配列することができ、組立式階段を容易に組み立てることができる。
【００４５】
本実施の形態によれば、直線部と方向変更部を互いに組み合わせることにより、様々な種類の組立式階段を容易に形成することができる。なお、方向変更部は、回り方向を右回りおよび左回りのどちらに変更してもよい。
また、本実施の形態の組立式階段は、直線部と方向変更部を互いに組み合わせて形成することができればよく、中間部に方向変更部を配置したものに限られるものではない。例えば、図９に示すように、上部側に複数の方向変更用段箱３４を配列し、その下側に複数の直線用段箱３５を配列することもできる。複数の方向変更用段箱３４には複数の方向変更用分割桁３６が対応して配置されると共に複数の直線用段箱３５には複数の直線用分割桁３７が対応して配置されている。
【００４６】
実施の形態４
上記の実施の形態１〜３では、下階Ｆａから上階Ｆｂに向かって斜め上方に複数の段箱と複数の板部材を配列すると共に下階Ｆａから上階Ｆｂに向かって斜め上方に延びるように桁を配置して組立式階段が形成されたが、複数の段箱を上部が順次上方に突出するように配列すると共に複数の板部材を斜め上方に向かって配列し且つ桁が複数の板部材の配列方向に延びるように配置された組立式段構成体を形成することができればよく、組立式階段に限られるものではない。
例えば、図１０に示すように、上下方向に延びる支持台Ｐの下側から支持台の上部に向かって斜め上方に複数の直線用段箱４１と複数の板部材４２を配列すると共に支持台Ｐの下側から支持台Ｐの上部に向かって斜め上方に延びるように一対の直線用桁４３を配置して組立式段ベンチを形成することができる。
【００４７】
この組立式段ベンチは、直線用段箱４１毎にまとめて構成されており容易に組み立てることができる。また、組立式段ベンチを横に並べて配置することにより所望の範囲に段ベンチを形成することができると共に、組立式段ベンチを高さ方向に並べて配置することにより所望の高さに段ベンチを形成することができる。なお、直線用段箱４１は、持ち運び可能な大きさおよび重さで形成されることが好ましく、例えば約１ｍの横幅および約２０ｋｇの重さで形成することができる。
本実施の形態によれば、組立式段ベンチを容易に組み立てることができ、例えば、劇場用の段ベンチ、大相撲の桟敷席および競技場の段ベンチなどを所望の範囲に容易に形成することができる。また、組立式段ベンチの下側に広い空間を確保することができるため、例えば楽屋を設置するなど、組立式段ベンチの下側を有効に活用することができる。
【００４８】
なお、上記の実施の形態１〜４において、方向変更用段箱および直線用段箱は、上部が順次上方に突出するように配列することができればよく、その形状は特に限定されるものではない。
例えば、図１１に示すように、実施の形態３において複数の方向変更用段箱３４に換えて複数の方向変更用段箱５１を配置すると共に複数の方向変更用分割桁３６に換えて複数の方向変更用分割桁５２を配置することができる。方向変更用段箱５１は、直角三角柱形状を有し、４つの方向変更用段箱５１で１８０度向きが変わるように配列されている。方向変更用段箱５１の上側と下側にはそれぞれ複数の直線用段箱３５が配列されている。そして、方向変更用分割桁５２が、方向変更用段箱５１内に対応して配置されている。
【００４９】
また、図１２（Ａ）に示すように、実施の形態３において複数の方向変更用段箱３４に換えて複数の方向変更用段箱５３を配置すると共に複数の方向変更用分割桁３６に換えて複数の方向変更用分割桁５４を配置することもできる。方向変更用段箱５３は、四角柱形状を有し、２つの方向変更用段箱５３で１８０度向きが変わるように配列されている。方向変更用段箱５３の上側と下側にはそれぞれ複数の直線用段箱３５が配列されている。そして、方向変更用分割桁５４が、方向変更用段箱５３内に対応して配置されている。
【００５０】
ここで、方向変更用分割桁５４は、複数の直線部、例えば３つの直線部５５ａ、５５ｂおよび５５ｃを互いに溶接などで連結して構成することが好ましい。これにより、方向変更用分割桁５４は、隣接する方向変更用分割桁５４と直線用分割桁３７との間を直線状に接続せずに、方向変更用段箱５３の外側部側に大きく回り込んで接続されるため、方向変更用段箱５３を強力に支持することができる。
なお、方向変更用分割桁５４は、隣接する方向変更用段箱５３の間で高さ位置が異なるように配置することができる。例えば、図１２（Ｂ）に示すように、下側の方向変更用段箱５３内の方向変更用分割桁５４に対して、上側の方向変更用段箱５３内の方向変更用分割桁５４を上方に配置し、両者の間を上下方向に長く延びるプレート５６で連結することができる。この時、プレート５６の背面に三角リブ５６ａを配置して剛性を高めることが好ましい。
【００５１】
また、図１３に示すように、直線用段箱３５に対応する直線用分割桁３７を延長して水平方向に延びる分割桁５７を方向変更用段箱５３内に配置することもできる。この分割桁５７の端部を方向変更用段箱５３に当接する側壁部Ｗに固定することにより方向変更用段箱５３を支持することができる。
【００５２】
また、図１４（Ａ）に示すように、２つの方向変更用段箱５３にそれぞれ方向変更用分割桁５８ａと方向変更用分割桁５８ｂを配置することもできる。方向変更用分割桁５８ａは、上側の方向変更用段箱５３内に配置され、直線用分割桁３７を延長して水平方向に延びる直線部５９ａと、この直線部５９ａに直交して水平方向に延びる直線部５９ｂとを有する。方向変更用分割桁５８ｂは、下側の方向変更用段箱５３内に配置され、直線用分割桁３７を延長して水平方向に延びる直線部６０ａと、この直線部６０ａに直交して水平方向に延びる直線部６０ｂとを有する。
図１４（Ｂ）に示すように、直線部５９ａは直線部５９ｂの上側に配置されて互いに接合されている。一方、直線部６０ａは直線部６０ｂと同一平面上で交差するように配置されて互いに接合されている。このように構成された方向変更用分割桁５８ａと方向変更用分割桁５８ｂが、プレート６１を介して互いに連結されている。この直線部６０ａと直線部６０ｂの交差部に下階から上方に延びる支柱Ｓを固定することにより方向変更用段箱５３を支持することができる。なお、支柱Ｓは、直線部５９ａ、５９ｂ、６０ａおよび６０ｂのいずれかに固定することができるが、上記のように直線部の交差部に固定することにより方向変更用段箱５３を確実に支持することができる。
【００５３】
このように、様々な形状の方向変更用段箱および直線用段箱を配列することにより、様々な種類の組立式段構成体を容易に形成することができる。
【００５４】
また、上記の実施の形態１〜４において、板部材は、段箱の上部に開閉可能に取り付けることができる。例えば、図１５に示すように、実施の形態１において接地段箱４に板部材６２を開閉可能に取り付けることができる。これにより、接地段箱４を収納として使用することができ、例えば靴などの収納物を接地段箱４内に収納することができる。
【００５５】
また、上記の実施の形態１〜４において、複数の段箱は箱形状に形成されたが、対応する分割桁を固定して一体に構成することができればよく、箱形状に限定されるものではない。例えば、複数の段箱内に空間を形成しなくてもよく、段箱内に発泡材およびコンクリートなどを充填することで段箱の振動を抑制することができる。また、複数の段箱を枠形状に形成することもできる。
【００５６】
また、上記の実施の形態１〜４において、板部材は、それぞれの段箱に１つずつ取り付けられたが、斜め上方に向かって配列することができればよく、例えば複数の板部材を１つの段箱に取り付けることもできる。
また、上記の実施の形態１〜４において、桁は、段箱の内部において横幅方向に間隔を空けた２箇所に配置されたが、複数の段箱を支持することができればよく、例えば１つの桁を配置してもよい。
【符号の説明】
【００５７】
１，３５，４１  複数の直線用段箱、２，２２，３２，４２，６２  複数の板部材、３，４３  一対の直線用桁、４，２４  接地段箱、５，２５  複数の連接段箱、６ａ  接地段箱の底板部、６ｂ  接地段箱の前板部、６ｃ  接地段箱の後板部、６ｄ，６ｅ  接地段箱の側板部、７ａ，２６ａ  連接段箱の底板部、７ｂ，２６ｂ  連接段箱の前板部、７ｃ，２６ｃ  連接段箱の後板部、７ｄ，７ｅ，２６ｄ，２６ｅ  連接段箱の側板部、８，３７  複数の直線用分割桁、９  トッププレート、１０  ベースプレート、１１ａ，１１ｂ，１１ｃ  固定部、１２ａ，１２ｂ  開口部、１３  切欠き部、１４  貫通孔、１５  一対の嵌合部、２１，２３，３４，５１，５３  複数の方向変更用段箱、２７，３６，５２，５４，５８ａ，５８ｂ  複数の方向変更用分割桁、３１  複数の段箱、３３  一対の桁、５７  分割桁、５５ａ，５５ｂ，５５ｃ，５９ａ，５９ｂ，６０ａ，６０ｂ  直線部、５６，６１  プレート、５６ａ  三角リブ、Ｆａ  下階、Ｆｂ  上階、Ｈ  段高幅、Ｐ  支持台、Ｗ  側壁部、Ｓ  支柱。
【図２】
2016204942.tif 000003
【図３】
2016204942.tif 000004
【図６】
2016204942.tif 000005
【図８】
2016204942.tif 000006
【図９】
2016204942.tif 000007
【図１０】
2016204942.tif 000008
【図１１】
2016204942.tif 000009
【図１３】
2016204942.tif 000010
【図１】
2016204942.tif 000011
【図４】
2016204942.tif 000012
【図５】
2016204942.tif 000013
【図７】
2016204942.tif 000014
【図１２】
2016204942.tif 000015
【図１４】
2016204942.tif 000016
【図１５】
2016204942.tif 000017